(57)【要約】【課題】表示媒体のプライス表示面を汚さず、表示媒体の交換を容易、迅速に行えるようにし、小形ながらも表示媒体上の価格表示を明るくクリアーに行えるようにする。【解決手段】不透明ブロック１は、略立方体形状の頂角から対角線状に切り欠いた傾斜面で構成される第１の傾斜面１ａと、第１の傾斜面１ａの下縁部をこれに交差する方向に立ち上げた第２の傾斜面１ｂとで形成され、透明ブロック２は、断面三角形状の透明体で構成され、前記略立方体形状の頂角から対角線状に切り欠いて、第１の傾斜面１ａ上に位置して当接可能な傾斜面を形成した第３の傾斜面２ａと、第３の傾斜面２ａの下縁部に第２の傾斜面１ｂ上に当接可能に上方に屈曲された第４の傾斜面２ｂとで構成されて、透明ブロック２と不透明ブロック１の傾斜面１ａ、２ａ間に表示媒体を介在可能にする。【選択図】図１
0003130878.tif 000002
【実用新案登録請求の範囲】
【請求項１】
重ね合わせることにより略立方体形状となる透明ブロックおよび不透明ブロックからなり、
前記不透明ブロックを基台とし、該不透明ブロックは前記略立方体形状の頂角から対角線状に切り欠いた傾斜面で構成される第１の傾斜面と、該第１の傾斜面の下縁部を該第１の傾斜面に対し交差する方向に立ち上げた第２の傾斜面とで形成され、
前記透明ブロックは、断面三角形状の透明体で構成され、前記略立方体形状の頂角から対角線状に切り欠いて、前記第１の傾斜面上に位置して当接可能な傾斜面を形成した第３の傾斜面と、該第３の傾斜面の下縁部に前記第２の傾斜面上に当接可能に上方に屈曲された第４の傾斜面とで構成され、
前記透明ブロックと前記不透明ブロックの傾斜面にプライスカードなどの表示媒体を介在可能にしたことを特徴とする表示媒体用表示器具。
【請求項２】
前記第１の傾斜面の略中央部に、四角形、三角形または円形の凹部を形成したことを特徴とする請求項１に記載の表示媒体用表示器具。
【請求項３】
前記透明ブロックおよび不透明ブロックが、アクリル樹脂からなることを特徴とする請求項１に記載の表示媒体用表示器具。
【考案の詳細な説明】
【技術分野】
【０００１】
本考案は、デパートや商店等において商品の陳列台や陳列棚に設置されて、商品のプライス（価格）表示をするのに用いる表示媒体用表示器具に関する。
【背景技術】
【０００２】
デパートや商店では、商品の陳列台や陳列棚に設置されて、商品の価格を表示するのに、従来から表示媒体用表示器具が用いられている。この表示媒体用表示器具は、例えば陳列棚枠に対しプライスレールを取り付けたものからなる。
【０００３】
このプライスレールは、上下の両端部に折り返し部が形成されてなり、これらの折り返し部に左右方向から商品名などとともに価格を印刷したシート状のプライスカードを差し込むことができるようにしたものからなる（例えば、特許文献１参照）。
【特許文献１】特開２００１‐２９９５２３号公報
【考案の開示】
【考案が解決しようとする課題】
【０００４】
しかしながら、かかる従来の表示媒体用表示器具にあっては、プライスレールが大形で、大きな占有空間を要するほか、折り返し部に塵埃や水分が滞留し易く、変色や腐食が発生するという不都合があった。また、前記従来の表示媒体用表示器具にあっては、プライスカードのプライス表示面が前方に向かって露出しているため汚れ易く、汚れを落とすべく洗浄を行った場合には、価格表示が剥がれてしまうという不都合があった。また、価格変更があったときのプライスカードの交換作業が面倒であるなどの不都合があった。
【０００５】
本考案は、前記のような従来の不都合を解消するためになされたものであり、プライスカードなど表示媒体のプライス表示面の汚れをなくし、表示媒体の交換が容易、迅速に行えるようにするとともに、外光を十分に取り込んで、小形ながらも表示媒体上のプライス（価格）表示を明るくクリアーに行うことができる表示媒体用表示器具を得ることを目的とする。
【課題を解決するための手段】
【０００６】
前記目的達成のために、本考案にかかる表示媒体用表示器具は、重ね合わせることにより略立方体形状となる透明ブロックおよび不透明ブロックからなり、前記不透明ブロックを基台とし、該不透明ブロックは前記略立方体形状の頂角から対角線状に切り欠いた傾斜面で構成される第１の傾斜面と、該第１の傾斜面の下縁部を該第１の傾斜面に対し交差する方向に立ち上げた第２の傾斜面とで形成され、前記透明ブロックは、断面三角形状の透明体で構成され、前記略立方体形状の頂角から対角線状に切り欠いて、前記第１の傾斜面上に位置して当接可能な傾斜面を形成した第３の傾斜面と、該第３の傾斜面の下縁部に前記第２の傾斜面上に当接可能に上方に屈曲された第４の傾斜面とで構成され、前記透明ブロックと前記不透明ブロックの傾斜面にプライスカードなどの表示媒体を介在可能にしたことを特徴とする。
【０００７】
この構成により、表示媒体が透明ブロックと不透明ブロックとの間に介在されると、透明ブロックのプリズム効果で、プライス表示面（印刷面）が上部と側面から視角することが可能となる。また、表示媒体が透明ブロックで覆われるので、プライス表示面の洗浄や表示媒体の頻繁な交換が不要になる。さらに、価格変更時における表示媒体の交換作業を容易化、迅速化できる。さらにまた、小さい占有空間においてクリアーで明るい価格表示を行うことができる。
【０００８】
また、本考案にかかる表示媒体用表示器具は、前記第１の傾斜面の略中央部に、四角形、三角形または円形の凹部を形成したことを特徴とする。
この構成により、凹部内に宝飾品などの商品を収納して展示すると、その透明ブロックのプリズム効果で、外来の入射光をプライス表示面に照射可能にして、小形ながらも表示媒体上の価格表示を顧客等にクリアーに看取させることができる。
【０００９】
また、本考案にかかる表示媒体用表示器具は、前記透明ブロックおよび不透明ブロックが、アクリル樹脂からなることを特徴とする。
この構成により、安価な材料および成形技術を用いて、小さい占有空間内においてもクリアーで明るいプライス表示を行うことができる。
【考案の効果】
【００１０】
本考案によれば、表示媒体が透明ブロックと不透明ブロックとの間に介在されると、プライス表示面が上部と側面から視角することが可能になる透明体のプリズム効果で、外来の入射光をプライス表示面に十分に照射可能にして、小形ながらも表示媒体上の価格表示を顧客等にクリアーに看取させることができる。また、表示媒体のプライス表示面の汚れをなくし、この表示媒体の交換が容易、迅速に行える。
【考案を実施するための最良の形態】
【００１１】
以下、本考案の実施形態を、図面を参照しながら説明する。
本考案の構成は、基本的に、重ね合わせることにより略立方体形状となる透明ブロックおよび不透明ブロックからなる。そして、不透明ブロックを基台とし、該不透明ブロックを前記略立方体形状の頂角から対角線状に切り欠いた傾斜面で構成される第１の傾斜面と、該第１の傾斜面の下縁部を該第１の傾斜面に対し交差する方向に立ち上げた第２の傾斜面とで形成する。また、前記透明ブロックを、断面三角形の透明体で形成し、前記略立方体形状の頂角から対角線状に切り欠いて、第１の傾斜面上に位置して第３の傾斜面に当接可能な傾斜面を形成し、第３の傾斜面の下縁部に前記第２の傾斜面上に当接可能に上方に屈曲された第４の傾斜面を設けている。さらに、前記透明ブロックと前記不透明ブロックの傾斜面にプライスカードなどの表示媒体を介在可能にした構成である。
【００１２】
これにより、表示媒体を透明ブロックと不透明ブロックとの間に介在させることで、透明ブロックのプリズム効果でプライス表示面を上方および則包から視角することができる。また、表示媒体のプライス表示面（印刷面）が汚れることがない。このプライス表示面の洗浄や表示媒体の頻繁な交換が不要になり、価格変更時における表示媒体の交換作業を容易化、迅速化できる。さらに、小さい占有空間内においてクリアーで明るい価格表示を行うことができる。
【００１３】
図１は、表示媒体用表示器具の全体を示す斜視図、図２は、この表示媒体用表示器具を分解して示す側面図、図３は、他の実施形態による表示媒体用表示器具の不透明ブロックを示す斜視図、図４は、他の実施形態による表示媒体用表示器具を一部破断して示す側面図、図５は、不透明ブロックの他の形態を示す斜視図、図６は、不透明ブロックのさらに他の形態を示す斜視図である。
そして、前記表示媒体用表示器具は、不透明ブロック１と、透明ブロック２と、これらの不透明ブロック１および透明ブロック２間に介在されるプライスカード３とから構成されている。
【００１４】
これらの不透明ブロック１および透明ブロック２は互いに上下に重ね合わせることにより、略立方体形状のブロックとされる。また、不透明ブロック１は、有色の、例えば黒色のアクリル樹脂の成形品であり、全面が平滑に仕上げられている。
【００１５】
この不透明ブロック１には、プライスカード３が載置可能な、前記立方体形状の頂角から対角線状に切り欠いた傾斜面で構成される第１の傾斜面１ａと、この第１の傾斜面１ａの下部に連続するとともに、該第１の傾斜面１ａに対し交差する方向に立ち上げた短い第２の傾斜面１ｂとが設けられている。図１および図２では、第１の傾斜面１ａと第２の傾斜面１ｂとのなす角度が、略９０度になっている。なお、傾斜面１ａの傾斜度は、水平面に対し例えば４５度以下とすることが望ましい。
【００１６】
第１の傾斜面１ａと第２の傾斜面１ｂとのなす角度は、必ずしも前記９０度にする必要はない。第１の傾斜面１ａ上に支持される透明ブロック２やプライスカード３が、その第１の傾斜面１ａに沿って滑り落ちない角度、または透明ブロック２を安定支承する角度とされる。
【００１７】
前記透明ブロック２は、無色透明のアクリル樹脂の成形品であり、全体として直角プリズムの形態をなし、全面が平滑に仕上げられている。この透明ブロック２には、第１の傾斜面１ａ上に位置して当接可能な傾斜面で構成される第３の傾斜面２ａと、該第３の傾斜面２ａの下縁部に連続するように、前記第２の傾斜面１ｂ上に当接可能に上方に屈曲された第４の傾斜面２ｂが設けられている。従って、第３の傾斜面２ａの、第４の傾斜面２ｂに対する角度は、前記第１の傾斜面１ａの、第２の傾斜面１ｂに対する角度と等しい。
【００１８】
そして、第１の傾斜面１ａに第３の傾斜面２ａが、第２の傾斜面１ｂに第４の傾斜面２ｂがそれぞれ当接するように、不透明ブロック１上に透明ブロック２を重ね合わせたとき、この表示媒体用表示器具は全体として、前述のような立方体形状のブロック形態をなす。なお、不透明ブロック１および透明ブロック２はアクリル樹脂の成形品として得られ、従って比較的安価に得られる。
【００１９】
かかる構成になる表示媒体用表示器具は、デパート等における商品の陳列台や陳列棚の上に商品とともに並置される。このとき、透明ブロック２を指で摘んで不透明ブロック１上に載せたり、摘み上げたりして、プライスカード３を設置したり、交換したりすることができる。
従って、不透明ブロック１の第１の傾斜面１ａ上にプライスカード３を載せ、さらにその上に透明ブロック２を載せることにより、プライスカード３のプライス表示面が、透明ブロック２の第３の傾斜面２ａに密接する。
【００２０】
また、プリズム状の透明ブロック２に太陽光のような複光が入射すると、出射光が赤から紫までの各色の光に分散し、これが出射面、壁面などに映り、美しい色の縞模様を看取することができる。
【００２１】
この第３の傾斜面２ａに対するプライスカード３のプライス表示面の密接によって、プライスカードのプライス表示面に印刷されたプライス表示が透明ブロック２の正面２ｃ、上面２ｄ、および右側面２ｅ、左側面２ｆの各外部からクリアーに看取可能になる。
【００２２】
透明ブロック２は、直角二等辺三角形をなす直角プリズムの形態をなす。従って、直角の片面に対し垂直方向に入射した光線（太陽光などの複光）は、第３の傾斜面２ａに対して略４５度の入射角となるため、光線は全反射して直角の他面から外へ出射する。このため、第３の傾斜面２ａに対接するプライスカード３上のプライス表示は、前記入射した光線を受けて前記他面方向に全反射され、反射像であるプライス表示が、明るくしかもクリアーにその他面側から看取可能になる。
【００２３】
また、プライスカード３は肉薄であるため、このプライスカード３の周辺では、各傾斜面１ａ、２ａが略密接し、傾斜面１ａが有色（ここでは、黒色）であることによって、透明ブロック２の直角の片面から入射した光は傾斜面２ａに密接する傾斜面１ａで吸収される。このため、プライスカードのプライス表示が黒色の中に浮き上がるように、かつクリアーに表示され、顧客等に美しく看取されることとなる。
【００２４】
このプライスカード３は、表示媒体用表示器具の使用状態においては半透明ブロック１および透明ブロック２間に密接するように介在されているため、汚れたり破損したりすることはない。また、不透明ブロック１上の透明ブロックの載置や分離（前記摘み上げ）は容易、迅速に行うことができるため、プライスカードの入れ替えを容易に行うことができ、プライス変更のための作業が極めて容易になる。
【００２５】
このように、本実施形態の表示媒体用表示器具は、上下に重ね合わせることにより略立方体を形成する透明ブロック２および不透明ブロック１からなり、不透明ブロック１には、プライスカード３を設置可能にする第１の傾斜面１ａと、第１の傾斜面１ａの下部に連続するとともに、第１の傾斜面１ａに対し交差する方向の第２の傾斜面１ｂとを設け、透明ブロック２には、プライスカード３を介して第１の傾斜面１ａ上に当接可能な第３の傾斜面２ａと、第２の傾斜面１ｂ上に支持可能に当接される第４の傾斜面２ｂとを設けている。
【００２６】
従って、この表示媒体用表示器具では、プライスカード３が透明ブロック２と不透明ブロック１との間に介在され、プライス表示面（印刷面）が汚れることがないため、このプライス表示面の洗浄やプライスカード３の頻繁な交換が不要になるほか、価格変更時におけるプライスカード３の交換作業を容易化、迅速化できるとともに、小さい占有空間においてクリアーで明るい価格表示を行うことができる。
【００２７】
図３は、本考案の他の実施形態による不透明ブロック１を示す斜視図、図４は一部破断した表示媒体用表示器具を分離して示す側面図である。この実施形態では、第１の傾斜面の中央部付近に四角柱状に切り欠いた凹部５を設けている。この凹部５は上方または側方から見て四角形をなし、この凹部５内には宝石などの貴金属商品４を設置または収納可能にしている。
【００２８】
このため、この凹部５内に商品を収納し、不透明ブロック１上に透明ブロック２を重ね合わせた場合には、前記商品４を透明ブロック２の上面、正面および側面の外部からクリアーに看取することができる。また、プリズム状の透明ブロック２に太陽光が入射すると、出射光が赤から紫までの各色の光に分散し、これが出射面、壁面などに映り、美しい色の縞模様を看取することができる。従って、前記商品４を透明に澄んだ空間内で美しく表示させることができ、収納商品４の高級感を増すことができる。
【００２９】
図５および図６は、不透明ブロックの他の形態を示す斜視図である。これらの不透明ブロック１には一部に円弧面部５ａを持つ四角形の凹部５Ａおよび三角錐系の凹部５Ｂが形成されている。これらの各凹部５Ａ、５Ｂは、これらに収納して展示する商品の形状、サイズに応じたものとすることができ、従って、凹部５Ａ、５Ｂの形状は任意に選択できる。
【００３０】
このような不透明ブロック構造にあっても、凹部５、６内に宝飾品などの商品を収納して展示すると、その透明ブロック２のプリズム効果で、外来の入射光をプライス表示面に照射可能にして、小形ながらも表示媒体上の価格表示を顧客等にクリアーに看取させることができる。
【産業上の利用可能性】
【００３１】
本考案にかかる表示媒体用表示器具は、表示媒体のプライス表示面の汚れをなくし、表示媒体の交換を容易、迅速に行えるようにするとともに、外光を十分に取り込んで、小形ながらも表示媒体上の価格表示を明るくクリアーに行うことができるという効果を有し、デパートや商店等における商品の陳列台や陳列棚上の商品のプライス表示をするための表示媒体用表示器具等として有用である。
【図面の簡単な説明】
【００３２】
【図１】本考案の実施形態による表示媒体用表示器具の全体を示す斜視図である。
【図２】図１における表示媒体用表示器具を分解して示す側面図である。
【図３】本考案における不透明ブロックの他の形態を示す斜視図である。
【図４】図３に示す不透明ブロックを持つ表示媒体用表示器具を一部破断して示す正面図である。
【図５】本考案における不透明ブロックの他の形態を示す斜視図である。
【図６】本考案における不透明ブロックの他の形態を示す斜視図である。
【符号の説明】
【００３３】
１  不透明ブロック
１ａ  第１の傾斜面
１ｂ  第２の傾斜面
２  透明ブロック
２ａ  第３の傾斜面
２ｂ  第４の傾斜面
３  プライスカード（表示媒体）
５、５Ａ、５Ｂ  凹部
【図１】
0003130878.tif 000003
【図２】
0003130878.tif 000004
【図３】
0003130878.tif 000005
【図４】
0003130878.tif 000006
【図５】
0003130878.tif 000007
【図６】
0003130878.tif 000008